(57)【要約】  本発明は、表示技術分野に属し、表示パネルに関する。前記表示パネルは複数の画素の表示ユニットを含み、各表示ユニットは白チャンネルに対応するサブ表示ユニット及び複数の原色チャンネルに対応するサブ表示ユニットを含み、前記複数の原色チャンネルに対応するサブ表示ユニットの表示面積が等しく、前記白チャンネルに対応するサブ表示ユニットの表示面積は各原色チャンネルに対応するサブ表示ユニットの表示面積より大きい。本発明によれば、バックライトによって消費される電力を低下させることができる。【選択図】図１
2019520592.tif 000002
【特許請求の範囲】
【請求項１】
表示パネルであって、
複数の画素の表示ユニットを含み、各表示ユニットは白チャンネルに対応するサブ表示ユニット及び複数の原色チャンネルに対応するサブ表示ユニットを含み、
前記複数の原色チャンネルに対応するサブ表示ユニットの表示面積が等しく、前記白チャンネルに対応するサブ表示ユニットの表示面積は各原色チャンネルに対応するサブ表示ユニットの表示面積より大きいことを特徴とする表示パネル。
【請求項２】
前記複数の原色チャンネルは赤チャンネル、青チャンネル、及び緑チャンネルを含むことを特徴とする請求項１に記載の表示パネル。
【請求項３】
前記複数の原色チャンネルに対応するサブ表示ユニットと白チャンネルに対応するサブ表示ユニットとの表示領域は、並列して配列された、長さが等しい長方形の表示領域であることを特徴とする請求項１に記載の表示パネル。
【請求項４】
前記各表示ユニットにおける各サブ表示ユニットの長方形の表示領域は同じ配列順序に従って、長辺が鉛直になるように並列して配列されることを特徴とする請求項３に記載の表示パネル。
【請求項５】
前記各表示ユニットにおける各サブ表示ユニットの長方形の表示領域は同じ配列順序に従って、長辺が水平になるように並列して配列されることを特徴とする請求項３に記載の表示パネル。
【請求項６】
前記白チャンネルに対応するサブ表示ユニットの表示面積は前記表示ユニットの表示面積の半分より小さいことを特徴とする請求項１に記載の表示パネル。
【請求項７】
前記白チャンネルに対応するサブ表示ユニットの表示面積は前記表示ユニットの表示面積の１／３を占めることを特徴とする請求項１に記載の表示パネル。
【請求項８】
前記各サブ表示ユニットはいずれも１つのＴＦＴを含むことを特徴とする請求項１に記載の表示パネル。
【請求項９】
前記表示パネルはゲート回路とデータ回路とを含み、各前記ＴＦＴのゲート電極は前記ゲート回路に接続し、ソース電極は前記データ回路に接続していることを特徴とする請求項８に記載の表示パネル。
【請求項１０】
前記表示パネルは第１のゲート回路、第２のゲート回路及びデータ回路を含み、各前記ＴＦＴスイッチのソース電極は前記データ回路に接続し、各前記原色チャンネルに対応するサブ表示ユニットのＴＦＴスイッチのゲート電極は前記第１のゲート回路に接続し、各前記白チャンネルに対応するサブ表示ユニットのＴＦＴスイッチのゲート電極は前記第２のゲート回路に接続していることを特徴とする請求項８に記載の表示パネル。
【発明の詳細な説明】
【技術分野】
【０００１】
本発明は、表示技術分野に関し、特に、表示パネルに関する。
【背景技術】
【０００２】
表示パネルは、電子機器においてもっともよく見かける入出力機器の１つであり、表示パネルは文字情報と画像情報を表示する機能を備える。液晶表示パネルはよく見かける表示パネルである。
【０００３】
液晶表示パネルは複数の画素の表示ユニットを含み、各画素の表示ユニットは赤、緑、青の三色チャンネルに対応するサブ表示ユニットを含み、各サブ表示ユニットは駆動回路、液晶層、及びカラーフィルターからなる。液晶表示パネルは、各サブ表示ユニットに光線を提供するためのバックライト光源、及び光線の方向を変えるための偏光板をさらに含むことができる。
【０００４】
本開示を実現させる過程において、発明者らは、従来技術に少なくとも以下の問題が存在していることを見出した。
【０００５】
サブ表示ユニットのカラーフィルターはいずれも赤、緑、青の三色のフィルターであるが、赤、緑、青の三色のフィルターは光透過性がいずれも悪く、このようにして、より高いスクリーン輝度が必要になる場合、バックライトの光強度を大幅に向上する必要があるため、消費される電力が大きい。
【発明の概要】
【発明が解決しようとする課題】
【０００６】
従来技術の問題を解決するために、本発明の実施例では、表示パネルを提供する。
【課題を解決するための手段】
【０００７】
本発明の技術案は以下のどおりである。
【０００８】
本発明の実施例によれば、表示パネルを提供し、前記表示パネルは複数の画素の表示ユニットを含み、各表示ユニットは白チャンネルに対応するサブ表示ユニット及び複数の原色チャンネルに対応するサブ表示ユニットを含み、前記複数の原色チャンネルに対応するサブ表示ユニットの表示面積は等しく、前記白チャンネルに対応するサブ表示ユニットの表示面積は各原色チャンネルに対応するサブ表示ユニットの表示面積より大きい。
【０００９】
選択的に、前記複数の原色チャンネルは赤チャンネル、青チャンネル、及び緑チャンネルを含む。
【００１０】
このようにして、赤、緑、青の三種類の原色チャンネルに基づき、異なる色の画素を形成することができる。
【００１１】
選択的に、前記複数の原色チャンネルに対応するサブ表示ユニットと白チャンネルに対応するサブ表示ユニットとの表示領域は、並列して配列された、長さが等しい長方形の表示領域である。
【００１２】
選択的に、前記各表示ユニットにおける各サブ表示ユニットの長方形の表示領域は同じ配列順序に従って、長辺が鉛直になるように並列して配列される。
【００１３】
選択的に、前記各表示ユニットにおける各サブ表示ユニットの長方形の表示領域は同じ配列順序に従って、長辺が水平になるように並列して配列される。
【００１４】
選択的に、前記白チャンネルに対応するサブ表示ユニットの表示面積は前記表示ユニットの表示面積の半分より小さい。
【００１５】
このようにして、白チャンネルの画素の色の精度への影響が大きすぎることを避けることができる。
【００１６】
選択的に、前記白チャンネルに対応するサブ表示ユニットの表示面積は前記表示ユニットの表示面積の１／３を占める。
【００１７】
選択的に、前記各サブ表示ユニットはいずれも１つのＴＦＴを含む。
【００１８】
選択的に、前記表示パネルはゲート回路とデータ回路とを含み、各前記ＴＦＴのゲート電極は前記ゲート回路に接続し、ソース電極は前記データ回路に接続している。
【００１９】
このようにして、統一したゲート回路により白チャンネルと各原色チャンネルに対応するサブ表示ユニットにおけるＴＦＴが導通する又は導通しないように制御することができる。
【００２０】
選択的に、前記表示パネルは第１のゲート回路、第２のゲート回路及びデータ回路を含み、各前記ＴＦＴスイッチのソース電極は前記データ回路に接続し、各前記原色チャンネルに対応するサブ表示ユニットのＴＦＴスイッチのゲート電極は前記第１のゲート回路に接続し、各前記白チャンネルに対応するサブ表示ユニットのＴＦＴスイッチのゲート電極は前記第２のゲート回路に接続している。
【００２１】
このようにして、第１のゲート回路と第２のゲート回路によりそれぞれ白チャンネルと各原色チャンネルに対応するサブ表示ユニットにおけるＴＦＴが導通する又は導通しないように制御することができる。
【発明の効果】
【００２２】
本発明の実施例に提供された技術案によれば、以下のような技術効果が奏される。
【００２３】
本発明の実施例において、表示パネルは複数の画素の表示ユニットを含み、各表示ユニットは白チャンネルに対応するサブ表示ユニット及び複数の原色チャンネルに対応するサブ表示ユニットを含み、複数の原色チャンネルに対応するサブ表示ユニットの表示面積は等しく、白チャンネルに対応するサブ表示ユニットの表示面積は各原色チャンネルに対応するサブ表示ユニットの表示面積より大きい。このようにして、各画素には白チャンネルに対応する、表示面積がより大きいサブ表示ユニットが添加され、白チャンネルに対応するサブ表示ユニットのカラーフィルターの光透過性が強いので、スクリーン輝度についての要求が同じ場合には、本技術案により提供された表示パネルを採用することで、光強度が比較的低いバックライトを採用することができ、これによりバックライトによって消費される電力を節約することができる。
【図面の簡単な説明】
【００２４】
以下の図面は、明細書に組み入れて本明細書の一部分を構成し、本発明に該当する実施例を例示するとともに、明細書とともに本発明の原理を解釈するように構成される。
【図１】一例示的な実施例に係る、表示パネルの構造を示す模式図である。
【図２】一例示的な実施例に係る、各色のチャンネルの表示領域の配列を示す模式図である。
【図３】一例示的な実施例に係る、各色のチャンネルの表示領域の配列を示す模式図である。
【図４】一例示的な実施例に係る、サブ表示ユニットの構造を示す模式図である。
【図５】一例示的な実施例に係る、表示ユニットの構造を示す模式図である。
【図６】一例示的な実施例に係る、表示ユニットの構造を示す模式図である。
【００２５】
上記の図面を通じて本発明の明確な実施例が示され、以下により詳細に説明する。これらの図面および文字の説明は、任意の方式により本発明の構想の範囲を限定するものではなく、特定の実施例を参照することにより、当業者に本発明の概念を説明するためのものである。
【発明を実施するための形態】
【００２６】
本発明の目的、技術案、及び利点をより明確にするために、以下、図面を参照しながら、本発明の実施形態についてより詳細に説明する。
【００２７】
本発明の実施例は表示パネルを提供し、図１に示すように、表示パネルは複数の画素の表示ユニット１を含み、各表示ユニットは白チャンネルのサブ表示ユニット１１及び複数の原色チャンネルのサブ表示ユニット１２を含み、ここで複数の原色チャンネルのサブ表示ユニット１２の表示面積は等しく、白チャンネルのサブ表示ユニット１の表示面積は各原色チャンネルのサブ表示ユニット１２の表示面積より大きい。
【００２８】
ここで、表示パネルは、液晶表示パネルであってもよく、ＯＬＥＤ表示パネルであってもよい。液晶表示パネルである場合、各画素の表示ユニット１は駆動回路（具体的に、ゲート回路及びデータ回路に分けることができる）、液晶層、及びカラーフィルターを含むことができる。ＯＬＥＤ表示パネルである場合、各画素の表示ユニットは発光ダイオード及びカラーフィルターを含むことができる。本実施例において，液晶表示パネルを例にして説明したが、ＯＬＥＤ表示パネルがそれに類似し、本実施例では詳細な説明を省略する。
【００２９】
実施では、表示パネルには、複数の画素の表示ユニット１が存在している。画像を表示する際、各表示ユニット１は対応する画素点をスクリーンに表示するために用いられる。例えば、表示パネルは１０００×１０００個の画素が含まれている画像を表示することができる場合、相応的に、表示パネルは１０００×１０００個の表示ユニット１を含むことができる。一方、表示パネルにおける各画素は、白チャンネルと複数の原色チャンネルからなり、即ち、白のサブ画素と複数の原色のサブ画素からなる。各色のチャンネルに対応する表示ユニットは対応するサブ画素の色を制御することができ、このようにして、複数のサブ画素が組み合わせられることにより、異なる色の画素点が呈されることができる。
【００３０】
さらに、各画素における複数の原色チャンネルに対応するサブ表示ユニット１２の表示面積は等しいが、白チャンネルに対応するサブ表示ユニット１１の表示面積は各原色チャンネルに対応するサブ表示ユニット１２の表示面積より大きい。白チャンネルの光透過率はその他の原色チャンネルの光透過率より遥かに大きいため、このようにして、バックライトの電力が同じの場合では、白チャンネルと複数の原色チャンネルが含まれている表示パネルを採用することで、スクリーン輝度を効果的に向上させることができる。言い換えると、スクリーンがある輝度に到達する必要がある場合、本実施例に開示された表示パネルによれば、バックライトの輝度についての需要が相対的に低いため、バックライトによって消費される電力を節約することができる。また、本技術案において、白チャンネルに対応するサブ表示ユニット１１の表示面積（白色表示面積とも呼ぶことができる）は、各原色チャンネルに対応するサブ表示ユニット１２の表示面積（原色表示面積とも呼ぶことができる）より大きい。従って、バックライトの光強度が同じの場合では、本技術案に開示された表示パネルはより高いスクリーン輝度を達することができ、同様に、スクリーンがある輝度に到達する必要がある場合、バックライトの光強度は相対的に低下してもよい。
【００３１】
選択的に、複数の原色チャンネルは赤チャンネル、青チャンネル、及び緑チャンネルを含む。
【００３２】
実施では、各画素は３つの原色のサブ画素及び白のサブ画素からなることができ、３つの原色のサブ画素は３つの原色チャンネルに対応し、具体的に、原色チャンネルはそれぞれ赤チャンネル、緑チャンネル、及び青チャンネルであってもよい。このようにして、即ち原色チャンネルに対応するサブ表示ユニット１２におけるカラーフィルターはそれぞれ赤フィルター、緑フィルター及び青フィルターである。
【００３３】
選択的に、複数の原色チャンネルに対応するサブ表示ユニット１２と白チャンネルに対応するサブ表示ユニット１１との表示領域は、並列して配列された、長さが等しい長方形の表示領域である。
【００３４】
実施では、複数の原色チャンネルに対応するサブ表示ユニット１２と白チャンネルに対応するサブ表示ユニット１１の表示領域はいずれも長方形の表示領域であってもよいが、これらの長方形の表示領域の長さが等しく、且つ表示領域は並列して配列されている。複数の原色チャンネルに対応するサブ表示ユニット１２の表示面積が等しく、白チャンネルに対応するサブ表示ユニット１１の表示面積がより大きく、同時にサブ表示ユニットの長さがいずれも等しいので、白チャンネルに対応する長方形の表示領域の幅が原色チャンネルに対応する長方形の表示領域の幅より大きいことが明らかになっている。
【００３５】
選択的に、上記サブ表示ユニットの表示領域がいずれも長方形の表示領域であることに基づき、本実施例は、２種類の実行可能な表示領域配列形態を提供する。
【００３６】
形態１、各表示ユニット１における各サブ表示ユニットの長方形の表示領域は同じ配列順序に従って、長辺が鉛直になるように並列して配列される。
【００３７】
実施例では、各表示ユニット１における各サブ表示ユニットの長方形の表示領域はいずれも同じ色の配列順序に従って、長辺が鉛直になる状態で並列して配列される。図２に示すように、ここで赤、緑、青の３つの原色を例にして、各表示ユニット１において、いずれも赤（Ｒ領域に対応する）、緑（Ｇ領域に対応する）、青（Ｂ領域に対応する）、白（Ｗ領域に対応する）の配列順序に従って、１行複数列になるように配列される。
【００３８】
形態２、各表示ユニット１における各サブ表示ユニットの長方形の表示領域は同じ配列順序に従って、長辺が水平になるように並列して配列される。
【００３９】
実施例では、各表示ユニット１における各サブ表示ユニットの長方形の表示領域はいずれも同じ色の配列順序に従って、長辺が水平になる状態で並列して配列される。図３に示すように、ここで赤、緑、青の３つの原色を例にして、各表示ユニット１において、いずれも赤、緑、青、白の配列順序に従って、１列複数行になるように配列される。
【００４０】
選択的に、白チャンネルに対応するサブ表示ユニット１１の表示面積は表示ユニット１の表示面積の半分より小さい。
【００４１】
実施例では、白チャンネルは色表示の正確性を影響する。即ち、白チャンネルの表示面積の大きさは、同じバックライトの光強度の場合、スクリーンの明暗だけではなく、スクリーンにおける画素の表示色にも影響を及ぼす。具体的には、白チャンネルに対応するサブ表示ユニット１１の表示面積が大きいほどスクリーンが明るくなり、画素の表示色は正確ではなくなるので、表示パネルにおける白チャンネルに対応するサブ表示ユニット１１の表示面積は大きすぎてはならなく、各画素の表示ユニット１の表示面積（画素表示面積とも呼ぶことができる）の半分より小さくすべきである。つまり、画素表示面積の１／４＜白色表示面積＜画素表示面積の１／２ようになる。このようにして、同じバックライトの光強度でのスクリーンの輝度を提供できるだけではなく、各画素の表示色が元の色とのずれが大きすぎないことを確保できる。
【００４２】
選択的に、白チャンネルに対応するサブ表示ユニット１１の表示面積は表示ユニット１の表示面積の１／３を占める。
【００４３】
実施例では、上記の白チャンネルに対応するサブ表示ユニット１１の表示面積が各原色チャンネルに対応するサブ表示ユニット１２の表示面積より大きいとともに、各画素の表示ユニット１の表示面積の半分より小さいという考慮に基づき、白チャンネルに対応するサブ表示ユニット１１の表示面積が各表示ユニット１の表示面積の１／３を占めるように選べることができる。このようにして、同じバックライトの光強度でのスクリーンの輝度を提供できるだけではなく、各画素の表示色が元の色とのずれが大きすぎないことを確保できる。
【００４４】
選択的に、図４に示すように、各サブ表示ユニットはいずれも１つのＴＦＴ１３を含む。
【００４５】
実施例では、表示パネルが液晶表示パネルである場合、各サブ表示ユニットはいずれも液晶層における液晶分子を駆動するに用いられる１つのトランジスタスイッチを含むことができる。当該トランジスタスイッチはＴＦＴ（薄膜電界効果トランジスタ，Ｔｈｉｎ  Ｆｉｌｍ  Ｔｒａｎｓｉｓｔｏｒ）であってもよい。ＴＦＴ１３のゲート電極が高電圧になる際、ＴＦＴ１３のソース電極とドレイン電極間が導通し、このようにして、データ回路は、デジタル信号から変換して得られた電圧を液晶層に印加することで、液晶層における液晶分子の回転を制御することにより、液晶層を通過した光線の強度を変えることができる。
【００４６】
選択的に、各サブ表示ユニットのＴＦＴ１３の回路接続形態は多様であり、以下のように２つの実行可能な接続形態を提供する。
【００４７】
形態１、図５に示すように、表示パネルはゲート回路２とデータ回路３とを含み、各ＴＦＴ１３のゲート電極はゲート回路２に接続し、ソース電極はデータ回路３に接続している。
【００４８】
実施例では、表示パネルが液晶表示パネルである場合、当該表示パネルはゲート回路とデータ回路とを含むことができ、ここで各サブ表示ユニットのＴＦＴ１３のゲート電極はいずれもゲート回路に接続し、ソース電極はデータ回路に接続している。このようにして、ゲート回路により各サブ表示ユニットのＴＦＴ１３が動作する又は動作しないように一括的に制御することができる。ゲート回路が導通しているときに、ＴＦＴ１３のゲート電極が高電圧になり、この際、ＴＦＴ１３のソース電極とドレイン電極とが導通し、これにより、もともとＴＦＴ１３のソース電極に印加されたデータ電圧（当該データ電圧はデータ回路により画像データから変換して得られた電圧である）は、導通しているＴＦＴ１３のソース電極とドレイン電極を介して各サブ表示ユニットの液晶層に直接印加されることができることで、液晶層における液晶分子の回転を制御することにより、液晶層を通過した光線の強度を変えることができる。
【００４９】
なお、本実施例に提供された表示パネルは白チャンネルに対応するサブ表示ユニット１１が単独で動作する表示モデル１において動作することができ、また複数の原色チャンネルに対応するサブ表示ユニット１２が単独で動作する表示モデル２（即ち、当該モデルでは、白チャンネルに対応するサブ表示ユニット１１は動作しない）において動作することもでき、さらに、白チャンネルに対応するサブ表示ユニット１１と複数の原色チャンネルに対応するサブ表示ユニット１２とが共同で動作する表示モデル３において動作することができる。ゲート回路が導通した後、複数の原色チャンネルに対応するサブ表示ユニット１２のデータ回路の出力がゼロになるように制御することができ、即ち、表示モデル１を実現することができ、或いは、白チャンネルに対応するサブ表示ユニット１１のデータ回路の出力がゼロになるように制御することができ、即ち、表示モデル２を実現することができる。
【００５０】
形態２、表示パネルは第１のゲート回路２１、第２のゲート回路２２及びデータ回路３を含み、各ＴＦＴスイッチのソース電極はデータ回路３に接続し、各原色チャンネルに対応するサブ表示ユニット１２のＴＦＴスイッチのゲート電極は第１のゲート回路２１に接続し、各白チャンネルに対応するサブ表示ユニット１１のＴＦＴスイッチのゲート電極は第２のゲート回路２２に接続している。
【００５１】
実施例では、表示パネルが液晶表示パネルである場合、当該表示パネルは第１のゲート回路２１、第２のゲート回路２２及びデータ回路３を含むことができ、ここで各ＴＦＴスイッチのソース電極はデータ回路３に接続し、各原色チャンネルに対応するサブ表示ユニット１２のＴＦＴスイッチのゲート電極は第１のゲート回路２１に接続し、各白チャンネルに対応するサブ表示ユニット１１のＴＦＴスイッチのゲート電極は第２のゲート回路２２に接続している。このようにして、第１のゲート回路２１により各原色チャンネルに対応するサブ表示ユニット１１におけるＴＦＴを制御することができ、第２のゲート回路２２により白チャンネルに対応するサブ表示ユニット１１のＴＦＴを制御することができる。
【００５２】
なお、本実施例に提供された表示パネルは白チャンネルに対応するサブ表示ユニット１１が単独で動作する表示モデル１において動作することができ、また複数の原色チャンネルに対応するサブ表示ユニット１２のみが動作する表示モデル２（即ち、当該モデルでは、白チャンネルに対応するサブ表示ユニット１１は動作しない）において動作することもでき、さらに、白チャンネルに対応するサブ表示ユニット１１と複数の原色チャンネルに対応するサブ表示ユニット１２とが共同で動作する表示モデル３において動作することができる。表示モデル１を実現する必要がある場合、第２のゲート回路２２のみをオンにして、白チャンネルに対応するサブ表示ユニット１１のＴＦＴのみが導通する。表示モデル２を実現する必要がある場合、第１のゲート回路２１のみをオンにして、各原色チャンネルに対応するサブ表示ユニット１２のＴＦＴが導通し、白チャンネルに対応するサブ表示ユニット１１のＴＦＴが導通しない。表示モデル３を実現する必要がある場合、第１のゲート回路２１と第２のゲート回路２２をともにオンにして、全てのサブ表示ユニットのＴＦＴが導通することになる。
【００５３】
本発明の実施例において、表示パネルは複数の画素の表示ユニットを含み、各表示ユニットは白チャンネルに対応するサブ表示ユニット及び複数の原色チャンネルに対応するサブ表示ユニットを含み、複数の原色チャンネルに対応するサブ表示ユニットの表示面積は等しく、白チャンネルに対応するサブ表示ユニットの表示面積は各原色チャンネルに対応するサブ表示ユニットの表示面積より大きい。このようにして、各画素には白チャンネルに対応する、表示面積がより大きいサブ表示ユニットが添加され、白チャンネルに対応するサブ表示ユニットのカラーフィルターの光透過性が強いので、スクリーン輝度についての要求が同じ場合には、本技術案により提供された表示パネルを採用することで、光強度が比較的低いバックライトを採用することができ、これによりバックライトによって消費される電力を節約することができる。
【００５４】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲により示される。
【００５５】
本発明は、前記で記述され、図面で図示した特定の構成に限定されず、その範囲を離脱しない状況で、様々な修正や変更を実施してもよい。本発明の範囲は、添付される特許請求の範囲のみにより限定される。
【００５６】
符号の説明
１    表示ユニット
１１    白チャンネルに対応するサブ表示ユニット
１２    原色チャンネルに対応するサブ表示ユニット
１３    ＴＦＴ
２    ゲート回路
２１    第１のゲート回路
２２    第２のゲート回路
３    データ回路
【図１】
2019520592.tif 000003
【図２】
2019520592.tif 000004
【図３】
2019520592.tif 000005
【図４】
2019520592.tif 000006
【図５】
2019520592.tif 000007
【図６】
2019520592.tif 000008
【国際調査報告】
2019520592.tif 000009
2019520592.tif 000010
2019520592.tif 000011
2019520592.tif 000012